(57)【要約】【課題】搬送ライン端末における貯留シュートに貯留できる搬送物品の数を、シュートローラ群の長さを延長することなく増やすことができる貯留シュートを提供すること。【解決手段】平行な左右側板を設けると共にガイドを設けた貯留シュートにおいて、ガイドに隣接して水平な駆動ローラ群を設け、この駆動ローラ群を搬送物品の流れ方向に対して直角方向に２分割して、高速駆動ローラ群と、この高速駆動ローラ群よりも低速の低速駆動ローラ群とし、高速駆動ローラ群及び低速駆動ローラ群に隣接して上流から下流に下がり勾配に沿って配置された勾配ローラ群を設け、この勾配ローラ群の最上位に配置された適当数のローラの下端に隣接して搬送物品の流れ方向に対して直角方向に搬送物品を移動させることができる横引き装置を水平に設けて成る貯留シュート。【選択図】　図１
2004059316.tif 000002
【特許請求の範囲】
【請求項１】
平行な左右側板を設けると共にガイドを設けた貯留シュートにおいて、ガイドに隣接して水平な駆動ローラ群を設け、この駆動ローラ群を搬送物品の流れ方向に対して直角方向に２分割して、高速駆動ローラ群と、この高速駆動ローラ群よりも低速の低速駆動ローラ群とし、高速駆動ローラ群及び低速駆動ローラ群に隣接して上流から下流に下がり勾配に沿って配置された勾配ローラ群を設け、この勾配ローラ群の最上位に配置された適当数のローラの下端に隣接して搬送物品の流れ方向に対して直角方向に搬送物品を移動させることができる横引き装置を水平に設けて成る貯留シュート。
【請求項２】
横引き装置の上縁が勾配ローラ群の上方包絡面よりも僅かな高さだけ突出している請求項１に記載の貯留シュート。
【発明の詳細な説明】
【０００１】
【発明の属する技術分野】
本発明は、形状や重量が多種多様の物品を取扱う際の仕分け作業、例えば郵便小包等の仕分け作業に好適に用いられる搬送ライン端末における貯留シュートに関する。
【０００２】
【従来の技術】
図８は従来の貯留シュートを示し、平行な左右側板Ｓ１、Ｓ２間に水平方向に互いに平行なローラからなるローラ群Ｃを上流より下流に下がり勾配に設けてある。矢印ｍ方向に搬送されてきた搬送物品Ｐは、排出された姿勢のまま同一ラインを通って流れて行くため、貯留シュートに貯留できる搬送物品の数に制約があった。また、貯留できる搬送物品の数を増やすためにはシュートローラ群を長くしなければならなかった。
【０００３】
【発明が解決しようとする課題】
本発明は、搬送ライン端末における貯留シュートに貯留できる搬送物品の数を、シュートローラ群の長さを延長することなく増やすことができる貯留シュートを提供することを目的とする。
【０００４】
【課題を解決するための手段】
この目的を達成するため、本発明に係る貯留シュートは、平行な左右側板Ｓ１、Ｓ２を設けると共にガイドＧを設けた貯留シュートにおいて、ガイドＧに隣接して水平な駆動ローラ群１を設け、この駆動ローラ群１を搬送物品の流れ方向に対して直角方向に２分割して、高速駆動ローラ群１Ａと、この高速駆動ローラ群１Ａよりも低速の低速駆動ローラ群１Ｂとし、高速駆動ローラ群１Ａ及び低速駆動ローラ群１Ｂに隣接して上流から下流に下がり勾配に沿って配置された勾配ローラ群２を設け、この勾配ローラ群２の最上位に配置された適当数のローラの下端に隣接して搬送物品の流れ方向に対して直角方向に搬送物品を移動させることができる横引き装置３を水平に設けて成ることを特徴とする。
横引き装置３として、実施例にはベルトを用いたものを開示したが、ベルトに限定されることなく、チェーン（例えばプラスチック・チェーン）により物品を横方向に移送することもできる。
【０００５】
【発明の実施の形態】
本発明の実施の形態を図面を参照しつつ説明する。
図１は本発明に係る貯留シュートの平面図である。平行に設置した側板Ｓ１、Ｓ２間に多数のローラを設ける。１は駆動ローラ群を示し、水平面内に適当数の駆動ローラ１１、１１・・・を平行に設ける。駆動ローラ１１、１１・・・は後述する駆動装置により駆動される。
駆動ローラ群１は側板Ｓ１、Ｓ２と直角方向に高速駆動ローラ群１Ａと低速駆動ローラ群１Ｂに分かれている。高速駆動ローラ群は速度Ｖ１で駆動され、それに隣接する低速駆動ローラ群１Ｂは速度Ｖ２で駆動され、速度の大きさは
Ｖ１＞Ｖ２
に設定されている。
【０００６】
２は勾配ローラ群を示し、多数のローラ２１、・・・２２、２２・・・が適当な勾配に沿って配置されているので、物品Ｐ、Ｐ、・・・は勾配に沿って重力により移送される。駆動ローラ群１の右端に隣接して勾配ローラ群２のローラ２１が設けられている。物品の幅に相違があるけれども、幅の平均値をｗ０とすると、図１において、幅の平均値ｗ０を有する物品Ｐ０１個を載置することができる長さの範囲内に適当数のローラ２１、２１・・・を設ける。一番端（右側）の勾配ローラ２１の次には勾配ローラを設けないで、勾配ローラ１個分の幅に横引き装置３を設ける
【０００７】
図３は図１におけるＩＩＩ−ＩＩＩ線断面図である。横引き装置３のベルト３１は駆動用プーリ３２、案内プーリ３３、３３によって支持され、矢印ａの方向に移動する。Ｇは直交ギヤで、駆動用モータＭにより駆動されるプーリＰ２の動力は直交ギヤＧを介してプーリ３２へ伝えられる。図２のＡ部拡大図（図４）を参照すると、ベルト３１の上縁３１ａは勾配ローラ群２の上方包絡面Ｌよりも僅かな高さｈだけ突出している（その作用は後述する）。
【０００８】
次に、駆動系について説明する。図５は図１におけるＶ−Ｖ線断面図である。軸Ｓの一端に駆動プーリＰ１が、他端に駆動プーリＰ２が取り付けられている。駆動用モータＭにより軸Ｓを回転することによりプーリＰ１、Ｐ２を駆動する。図６は図１におけるＶＩ視図であり、プーリＰ２はベルトＢ２を矢印ｃ方向に駆動することによりローラ１２、１２・・・を回転させる。
図７は図１におけるＶＩＩ視図である。プーリＰ１はベルトＢ１を矢印ｂ方向に駆動することによりローラ１１、１１・・・を回転させる。プーリＰ１の直径Ｄ１とプーリＰ２の直径Ｄ２との比Ｄ１／Ｄ２を適宜に選定することにより、高速駆動ローラ群１Ａの速度Ｖ１と低速駆動ローラ群１Ｂの速度Ｖ２の比を所望の値に定めることができる。
【０００９】
次に、本発明に係る貯留シュートの作用を説明する。
図１は、ガイドＧに沿ってｍ方向に搬送されてきた物品Ｐ１が駆動ローラ群１の範囲に進入したところを示す。物品Ｐ１は高速駆動ローラ群１Ａと低速駆動ローラ群１Ｂの両方の上にまたがって載置されており、ローラの速度はＶ１＞Ｖ２であるので、物品Ｐ１は時計方向に回転されて駆動ローラ群１の端部（右側）に移送されるときにはローラの軸線方向にほぼ平行な姿勢になる。物品Ｐ０はローラの軸線方向にほぼ平行な姿勢になった物品が勾配ローラ群２の上を滑り落ちて横引き装置３に達したところを示す。物品Ｐ０がさらに滑り落ちてベルト３１の上に乗ると、物品Ｐ０はベルト３１により矢印ａの方向へ移動する。物品Ｐ２はベルト３１によって側板Ｓ１付近まで移送された物品が勾配ローラ群２の上を滑り落ちて行くところを示す。
図４は図１のＡ部を拡大した図面であり、ベルト３１の上縁３１ａが勾配ローラ群２の上方包絡面Ｌよりも僅かな高さｈだけ突出している。物品がベルト３１の上に乗った場合、重量の軽い物品はベルト３１により引張られて、例えば物品Ｐ２のように側板Ｓ１付近に達し、その後、勾配ローラ群２の上を滑り落ちる。重量の重い物品は、ベルト３１による移送力よりも重力のほうが大きいので、物品はベルト３１の上縁３１ａを乗り越えて勾配ローラ群２を垂直方向に流下する。
【００１０】
【発明の効果】
▲１▼高速駆動ローラ群１Ａのローラの速度は低速駆動ローラ群１Ｂのローラの速度よりも大きいので、搬送物品の姿勢をローラの軸線にほぼ平行な方向に矯正することができる。
▲２▼重量の軽い物品は横引き装置３により側板Ｓ１付近まで移送された後勾配ローラ群２を流下させ、重量の重い物品は側板Ｓ２側のスペースに貯留させることができるので、勾配ローラ群２のスペースにおいて物品をほぼ満遍なく貯留することができ、省スペースの観点から非常に有利である。
▲３▼横引き装置３のベルト３１の上縁３１ａが勾配ローラ群２の上方包絡面Ｌよりも僅かな高さｈだけ突出しているので、物品の重量に応じて上縁３１ａを乗り越えるものと乗り越えることができないものとに能率よく振り分けることができる。
【図面の簡単な説明】
【図１】本発明の実施例の平面図である。
【図２】本発明の実施例の側面図である。
【図３】本発明の実施例の図１におけるＩＩＩ−ＩＩＩ線断面図である。
【図４】図２のＡ部拡大図である。
【図５】図１におけるＶ−Ｖ線断面図である。
【図６】図１におけるＶＩ視図である。
【図７】図１におけるＶＩＩ視図である。
【図８】従来の貯留シュートの平面図である。
【符号の説明】
１　　　駆動ローラ群
１Ａ　　高速駆動ローラ群
１Ｂ　　低速駆動ローラ群
２　　　勾配ローラ群
３　　　横引き装置
３１ａ　横引き装置の上縁
Ｇ　　　ガイド
Ｓ１　　側板
Ｓ２　　側板
ｈ　　　高さ
【図１】
2004059316.tif 000003
【図２】
2004059316.tif 000004
【図３】
2004059316.tif 000005
【図４】
2004059316.tif 000006
【図５】
2004059316.tif 000007
【図６】
2004059316.tif 000008
【図７】
2004059316.tif 000009
【図８】
2004059316.tif 000010